(57)【要約】【課題】単一の装置で、撮像した映像をデジタルデータとして記憶させることができ、かつ、その記憶したデータの印刷をもすることができる撮像印刷装置を提供する。【解決手段】本発明の撮像印刷装置は、受光レンズ２により取得された光を撮像して映像をデジタルデータに変換する撮像部１７と、撮像部１７により変換されたデジタルデータを記憶する記憶部５２と、記憶部５２からデジタルデータを読み出す制御部５３と、読み出されたデジタルデータを媒体に印刷する印刷部３と、撮像部１７、記憶部５２、制御部５３及び印刷部３を格納する本体１とからなる。【選択図】　　　図１
2004140704.tif 000002
【特許請求の範囲】
【請求項１】
受光レンズにより取得された光を撮像して映像をデジタルデータに変換する撮像部と、
該撮像部により変換されたデジタルデータを記憶する記憶部と、
該記憶部からデジタルデータを読み出す制御部と、
読み出されたデジタルデータを媒体に印刷する印刷部と、
前記撮像部、変換部、記憶部及び印刷部を格納する本体と
からなることを特徴とする撮像印刷装置。
【請求項２】
前記制御部は、前記印刷部による印刷と同期を取りつつ、前記記憶部へのデジタルデータの入力と並行して前記記憶部からの読み出しを行う機能を備えていることを特徴とする請求項１に記載の撮像印刷装置。
【請求項３】
前記変換部により変換されたデジタルデータを前記変換部から取得し、前記撮像部における画像走査方向と、前記印刷部における印刷方向とに基づいて前記デジタルデータの並び替えを行い、並び替えられたデジタルデータを前記記憶部へ入力するメモリコントローラ部を備えることを特徴とする請求項１又は２に記載の撮像印刷装置。
【請求項４】
撮像された複数の映像を同一の媒体上に配置するように、前記デジタルデータの加工を行うデータ加工部を有することを特徴とする請求項１乃至３に記載の撮像印刷装置。
【請求項５】
前記撮像部は、静止画のみならず動画を撮像する機能を有し、撮像された動画データを分解し、連続写真として印刷するように、前記デジタルデータの加工を行う連続写真生成部を備えることを特徴とする請求項１乃至４に記載の撮像印刷装置。
【請求項６】
受光レンズにより取得された光を撮像して映像をデジタルデータに変換する第１の処理と、
該撮像部により変換されたデジタルデータを記憶する第２の処理と、
記憶されたデジタルデータを読み出す第３の処理と、
読み出されたデジタルデータを媒体に印刷する第４の処理と
からなり、
前記第１乃至第４の処理は、単一の本体内に格納された装置により実行されることを特徴とする撮像印刷方法。
【請求項７】
前記第３の処理では、前記第４の処理による印刷と同期を取りつつ、前記第２の処理によるデジタルデータの記憶と並行してデジタルデータの読み出しを行うことを特徴とする請求項６に記載の撮像印刷方法。
【請求項８】
前記第１の処理においては、撮像時における画像走査方向と、印刷時における印刷方向とに基づいて前記デジタルデータの並び替えを行い、並び替えられたデジタルデータを出力ことを特徴とする請求項６又は７に記載の撮像印刷方法。
【請求項９】
撮像された複数の映像を同一の媒体上に配置するように、前記デジタルデータの加工を行う第５の処理を有することを特徴とする請求項６乃至８に記載の撮像印刷方法。
【請求項１０】
前記第１の処理において、静止画のみならず動画を撮像し、撮像された動画データを分解し、連続写真として印刷するように、前記デジタルデータの加工を行うことを特徴とする請求項６乃至９に記載の撮像印刷方法。
【発明の詳細な説明】
【０００１】
【発明の属する技術分野】
本発明は、映像の撮像と、撮像された映像の印刷とを単一の装置で行うための撮像印刷装置及び撮像印刷方法に関する。
【０００２】
【従来の技術】
従来、撮像した映像をすぐにその場で楽しむ手段としては、いわゆるインスタントカメラやデジタルカメラが広く実用化されている。
【０００３】
インスタントカメラは、一般に銀塩写真方式で、カメラにセットされた専用印画紙に被写体からの光を感光させて映像を印画するものである。印画された映像は、自然状態で現像処理が行われ、数分後には撮像された映像をその場で見ることができる。
【０００４】
また、デジタルカメラは、被写体の映像をデジタルデータに変換して内蔵されたＳＲＡＭやメモリカード等の記録媒体に格納するものである。格納した映像は、カメラに設けられたディスプレイ上ですぐに見ることができる。
【０００５】
【特許文献１】
特開２００２−２６２１５１号公報
【０００６】
【特許文献２】
特開平９−３３１４９９号公報
【０００７】
【発明が解決しようとする課題】
しかしながら、上述したインスタントカメラでは、１回の撮像で１枚の写真しか得ることができず、同じ写真を複数枚欲しい場合には、同じ映像を複数回撮像しなければならないという煩わしさがあった。また、被写体が動的なものであった場合には、完全に同一の映像を撮像することは事実上不可能であった。
【０００８】
一方、上述したデジタルカメラでは、手軽に格納した映像を見ることができるものの、その映像を見ている間は別の映像を撮像することができないという問題があった。また、その映像を印画紙に印刷したい場合には、カメラ本体または記録媒体をプリンタやパソコンに接続する必要があり、撮像した映像をその場で印刷することはできなかった。
【０００９】
本発明は、上述した問題を解決すべくなされたものであり、単一の装置で、撮像した映像をデジタルデータとして記憶させることができ、かつ、記憶したデータの印刷もすることができる撮像印刷装置及び撮像印刷方法を提供することを課題とする。
【００１０】
【課題を解決するための手段】
上記課題を解決するため、本発明は、単一の本体に格納された装置により、受光レンズにより取得された光を撮像して映像をデジタルデータに変換し、この変換されたデジタルデータを記憶し、記憶されたデジタルデータを読み出し、読み出されたデジタルデータを媒体に印刷する。
【００１１】
本発明によれば、各装置部を一体に格納した撮像印刷装置により撮像された画像は、デジタルデータに変換されて記憶されるだけでなく、その記憶されたデータを紙やシール等の媒体に印刷することができる。
【００１２】
上記発明において、印刷処理と同期を取りつつ、デジタルデータの記憶処理と並行して、記憶部からの読み出しを行うことが好ましい。この場合には、デジタルデータの入出力を印刷との同期を取りながら制御したことにより、撮像と同時に印刷を行うことができる。また、このような制御を取り入れたことにより、撮像と印刷という異なる動作をボタン１つで操作することができる。
【００１３】
上記発明においては、変換されたデジタルデータを取得し、撮像時における画像走査方向と、印刷時における印刷方向とに基づいて前記デジタルデータの並び替えを行い、並び替えられたデジタルデータを記憶することが好ましい。この場合には、デジタルデータの並び替えを行うメモリコントローラ部を備えていることから、印刷の紙送り方向を、操作の邪魔とならない方向に変換することができ、操作性が向上する。とくに装置本体を支持する手が印刷時に邪魔となることがない。
【００１４】
上記発明においては、撮像された複数の映像を同一の媒体上に配置するように、前記デジタルデータの加工を行うことが好ましい。この場合には、同一の媒体上に複数の画像を印刷することができるので、同じ画像を複数枚印刷したり、画像を好きな大きさで印刷したりすることができる。したがって、印刷のバリエーションが豊富となり、映像の楽しみ方を種々選択することができるという娯楽性が向上する。
【００１５】
上記発明においては、撮像時に静止画のみならず動画を撮像し、撮像された動画データを分解し、連続写真として印刷するように、前記デジタルデータの加工を行うことが好ましい。この場合には、動画を撮像するだけでなく、その動画データを連続写真に分割することができるので、容易に連続写真を印刷することができる。したがって、静的な被写体だけでなく動的な被写体であっても本発明で撮像して楽しむことができる。
【００１６】
【発明の実施の形態】
本発明の実施形態について図面を参照しながら説明する。図１は本実施形態に係る撮像印刷装置の全体構成を示す斜視図であり、図２は本実施形態に係る撮像印刷装置のブロック図であり、図３はデジタルデータの並び替えを示す説明図である。
【００１７】
（撮像印刷装置の構成）
図１に示すように、本実施形態に係る撮像印刷装置は、受光レンズ２により取得された光を撮像して映像をデジタルデータに変換する撮像部１７と、撮像部１７により変換されたデジタルデータを記憶する記憶部（画像メモリ）５２と、記憶部５２からデジタルデータを読み出す制御部（マイコン）５３と、読み出されたデジタルデータを媒体に印刷する印刷部（プリンタ）３と、撮像部１７、記憶部５２、制御部５３及び印刷部３を格納する本体１とからなる。
【００１８】
撮像部１７は、図２に示すように、受光レンズ２、ＣＭＯＳセンサー２１及びＩＳＰ（イメージシグナルプロセッサ）２２から構成される。受光レンズ２によって映像を絞り込み、ＣＭＯＳセンサー２１によりデジタルデータに変換（映像信号化）する。このデジタルデータは、ＩＳＰ２２により、ガンマ補正やエッジ強調などのデジタル処理が加えられる。このようにして、生成したデジタルＲＧＢデータは、画像メモリコントローラ（ＦＰＧＡまたはＡＳＩＣ）５１により記憶部５２へ高速転送される。また、撮像部１７には、静止画のみならず動画を撮像する機能を設け、撮像された動画データを分解し、連続写真として印刷するように、デジタルデータの加工を行う連続写真生成部を設けるようにしてもよい。
【００１９】
画像メモリコントローラ５１は、画像メモリアクセスに対する排他制御を行い、画像メモリへの書き込み、読み出しの調停も行う。また、画像メモリコントローラ５１は、撮像部１７により変換されたデジタルデータを取得し、撮像部１７における画像走査方向と、印刷部３における印刷方向とに基づいてデジタルデータの並び替えを行い、並び替えられたデジタルデータを記憶部５２へ入力する。
【００２０】
記憶部５２は、図２に示すように、例えばＳＲＡＭ等の画像メモリにより構成される。この画像メモリの容量は撮影した画像より大きく、画像以外のメモリはプリンタ印刷用画像データ作成のために利用される。なお、記憶部５２は、メモリカード等の記録媒体であってもよい。
【００２１】
制御部５３は、図２に示すように、いわゆるマイコンによって構成され、プログラムＲＯＭやＲＡＭを備え、装置全体をコントロールするプログラムを内蔵する。制御部５３は、印刷部３による印刷と同期を取りつつ、記憶部５２へのデジタルデータの入力と並行して記憶部５２からの読み出しを行う機能を備えている。したがって、撮影した映像は自動的に印刷されるようになっている。
【００２２】
印刷部３は、いわゆるプリンタであって、図２に示すように、プリンタメカ３１及び印画リボンカートリッジ３２から構成される。プリンタメカ３１は、モータードライバ５４やプリンタコントローラ５５の信号により駆動される。印刷方式は印画リボンカートリッジ３２とサーマルヘッドによる熱転写方式が用いられる。モータードライバ５４はプリンタメカ３１の制御を行い、プリンタコントローラ５５はプリントヘッドの電圧印加等を行う。
【００２３】
本体１の上面部には、モード切替スイッチ７、撮影ボタン８及び移動口１４が設けられている。一般に右利きの人が多いため、右手で操作できるように、撮影ボタン８は本体１の右側に設置され、印刷部３は左側に設けられる。モード切替スイッチ７は、必ずしも本体１の上面部に設置される必要はないが、右手で操作しやすい場所に設置しておくのが好ましい。
【００２４】
モード切替スイッチ７は、撮像された複数の画像を同一の媒体（印画用紙４）上に配置するように、デジタルデータの加工を行うためのものである。このモード切替スイッチ７は電源スイッチと兼用されており、例えば、以下のモードに切り替えることができる。
【００２５】
切：電源がＯＦＦの状態。
１：電源がＯＮ状態で、撮影した映像は１分割にて印字される。
２：電源がＯＮ状態で、撮影した映像は２分割にて印字される。
４：電源がＯＮ状態で、撮影した映像は４分割にて印字される。
【００２６】
撮影ボタン８はファインダー９から見える映像を撮影する場合に押すボタンスイッチであり、移動口１４は印刷時に印画用紙４が移動できるようにした開口部である。
【００２７】
本体１の前面部には、受光レンズ２の他に、ファインダー９、フラッシュ切替スイッチ１０、フラッシュ１５及び再印刷ボタン１６が設けられている。再印刷ボタン１６は、印刷部３に対するボタンであるため、印刷部のある本体１の左側に設置されているが、操作性を考慮して本体１の右側（前面または上面部）に設置するようにしてもよい。
【００２８】
ファインダー９は、撮影したい映像を見るための窓である。ファインダー９から見える映像は、撮影ボタン８を押すことで撮像することができる。
【００２９】
フラッシュ切替スイッチ１０はＯＮ−ＯＦＦスイッチであり、フラッシュが必要な時にスイッチをＯＮとする。このフラッシュ切替スイッチ１０がＯＮの状態で撮影されると、フラッシュ１５が作動し、暗い場所においても十分な明るさで撮影することができる。
【００３０】
再印刷ボタン１６は、何らかのトラブルにより適正に印刷することができなかった場合に、再度このボタンを押すことにより再印刷することができるようにするためのボタンである。また、撮影した映像を複数枚必要な場合に、このボタンを必要回数だけ押すことにより、必要な枚数の映像を印刷することができる。再印刷では、再印刷ボタン１６を押す前に、モード切替スイッチ７を操作することにより分割モードを切り替えることができ、希望する分割モードで印刷することができるようになっている。
【００３１】
本体１の下部には、電池交換蓋１１及び給紙兼取出口１３が設けられている。この装置は、例えば、単３アルカリ電池４本で駆動され、本体１の内部に格納されるようになっている。電池交換蓋１１は、その電池を入れ替え可能にするための蓋である。また、給紙兼取出口１３は、印画用紙４を手差しでプリンタに送り込むための挿入口であるとともに、印刷完了時に印画用紙４を取り出す取出口でもある。
【００３２】
本体１の側面部には、リボン交換蓋１２が設けられている。上述した印画リボンカートリッジ３２を入れ替え可能にするための蓋である。
【００３３】
本体１の内部には、メイン基板５が内蔵されている。メイン基板５は、制御部（マイコン）５３、画像メモリコントローラ５１、画像メモリ５２、入力Ｉ／Ｏ５８、フラッシュ制御回路５６、モータードライバ５４、プリンタコントローラ５５、電源回路５７から構成される。制御部（マイコン）５３、画像メモリコントローラ５１、画像メモリ５２、モータードライバ５４及びプリンタコントローラ５５については既に説明したとおりであるので、ここでの説明を省略する。
【００３４】
入力Ｉ／Ｏ５８は、モード切替スイッチ７、撮影ボタン８、再印刷ボタン１６、フラッシュ切替スイッチ１０の信号をマイコン５３に伝える。フラッシュ制御回路５６は、フラッシュ利用時の電源供給と撮影ボタン８と連動してフラッシュを光らせる。
【００３５】
（撮像印刷装置を用いた撮像印刷方法）
次に、本実施形態に係る撮像印刷装置を用いた撮像印刷方法について説明する。
【００３６】
先ず、撮影ボタン８が押されると、受光レンズ２により絞り込まれた映像は、ＣＭＯＳセンサー２１により、デジタルデータに変換され、ＩＳＰ２２によりガンマ補正やエッジ強調等の補正を行った後、画像メモリ５２に保存される。ここで保存されるデータ形式は２４ビットまたは１６ビットのデジタルＲＧＢデータである。ＩＳＰ２２はメイン基板５上のマイコン５３から汎用のＩ２Ｃバスを経由して画像サイズや補正パラメータ等の各種設定パラメータを受信し、ステータスをマイコン５３に返す。フラッシュ切替スイッチ１０によりこれらのパラメータの値は変わるようになっている。なお、露出測定機能を設けることにより、より撮影にマッチするパラメータを求めることができる。
【００３７】
画像メモリ５２にデジタルＲＧＢデータを高速に保存するための処理は、画像メモリコントローラ５１が行う。但し、この処理は撮影ボタントリガーとしてマイコン５３上で動作するソフトウェアにより実行される。画像メモリ５２は、常時バックアップされており、撮影後に電源を切った場合でも、直前の撮影データは電池残量が無くなるまで保持することができる。
【００３８】
画像メモリ５２に保存されたデジタルＲＧＢデータ（静止画）は、プリンタ３が受けられるデータに変換される。ここでは、マイコン５３上で動作する変換ソフトウェアにより、デジタルＣＭＹデータ（静止画）を生成する。この変換処理が実行される直前にモード切替スイッチ７の状態を読み取り、その状態に適合した画像分割数でデジタルＣＭＹデータを生成する。１画面分のデータ処理中にこのスイッチの状態が変化しても無視されるようになっている。また、画像変換処理はライン単位で実行される。よって、１ライン分のデジタルＣＭＹデータが生成されたらプリンタ３に転送するという処理を繰り返して１画面分のデータをプリンタ３に転送する。プリンタ３へのデータ転送はプリンタコントローラ５５により行う。
【００３９】
プリンタ３へのデータ転送と連動して、プリンタ３のメカ制御を行うモーター制御やプリントヘッドの電圧印加等をモータードライバ５４及びプリンタコントローラ５５により行う。
【００４０】
再印刷ボタン１６を押すと、既に印刷した画像と同じものが指定する分割モードにより再度印刷することができる。
【００４１】
撮影した映像を印刷する場合（１分割、２分割、４分割）、撮影した映像の画素数が印刷する画素数より多い場合は、単純間引き（偶数ドットや偶数ラインを印字しない）により処理し、印刷する画素数より少ない場合は、単純加算（前のドットやラインを２度印字する）により処理する。
【００４２】
本装置は、上述したように、単３アルカリ電池４本で動作することを前提にしており、必要となる各種ＤＣ電源の生成を電源回路モジュールにて行う。ここでは、定電圧回路、昇圧回路、降圧回路等により、撮像部１７やプリンタ３が必要な電源を生成するとともに、電池容量の有効活用をするための工夫がなされている。
【００４３】
ＩＳＰ２２からデータバスは１２ビットバス幅のため、画像メモリコントローラ５１は上述したビット列を処理して、画像メモリ５２に画像を保存する。
【００４４】
ここで、図３を用いて、デジタルデータの並び替えについて説明する。プリンタ印刷は画像の右上から縦に行われる。画像メモリ５２に展開された画像に対して、まずＣ（シアン）による印刷を行うため、Ｒのデータを０，０＋Ｎ，０＋２Ｎ，・・・，０＋ＭＮを読み込み、ＲＧＢ→ＣＭＹ変換を行い、プリンタ用ワークメモリに書き込む。この１ラインのデータをプリンタに渡して印画する。これをＮ回繰り返す。同様の操作をＭ（マゼンダ）、Ｙ（イエロー）についても行い、画像メモリ５２の印画が終了する。その後、印刷の耐久性を施すため、オーバーコーティング処理を行う。このように、デジタルデータの並び替えを行って印刷することにより、印刷の紙送り方向を操作の邪魔とならない方向に変換することができる。とくに本体１を支持する手が印刷時に邪魔となることがない。
【００４５】
なお、上述した実施形態は、本発明の理解を容易にするために例示的に記載したものであって、本発明の技術的範囲を限定するために記載したものではない。すなわち、本発明は、その技術的範囲に属する全ての実施の形態を含むことは当然として、そのいかなる均等物をも含む趣旨である。
【００４６】
【発明の効果】
以上説明したように本発明によれば、撮像処理、記憶処理、制御処理及び印刷処理を単一の本体に格納された装置により実行することから、携帯性に優れた単一の装置で、撮像した映像をデジタルデータとして記憶させることができ、かつ、その記憶したデータの印刷を容易に行うことができる。したがって、撮像した映像をすぐにその場で見て楽しむことができ、同じ映像を何度も繰り返して印刷することができ、印刷後はその映像を見て楽しむ一方で更なる撮像をすることができる。
【００４７】
また、デジタルデータの入出力を印刷との同期を取りながら制御したことにより、撮像と同時に印刷を行うことができる。また、このような制御を取り入れたことにより、撮像と印刷という異なる動作をボタン１つで操作することができる。
【００４８】
さらに、本発明では、デジタルデータの並び替えを行うメモリコントローラ部を設けることにより、印刷の紙送り方向を操作の邪魔とならない方向にすることができる。とくに、印刷中の紙が本体を支持している手の邪魔とならず、印刷時の取り扱いが容易となる。
【００４９】
また、本発明では、同一の媒体上に複数の画像を印刷することにより、同じ画像を複数枚印刷したり、好きな大きさで印刷したりすることができる。したがって、印刷のバリエーションが豊富となり、映像の楽しみ方を種々選択することができる。
【００５０】
さらに、本発明では、動画を撮像するだけでなく、その動画データを連続写真に分割することにより、容易に連続写真を印刷することができる。したがって、静的な被写体だけでなく動的な被写体であっても本装置で撮像して楽しむことができる。
【図面の簡単な説明】
【図１】本実施形態に係る撮像印刷装置の全体構成を示す斜視図である。
【図２】本実施形態に係る撮像印刷装置のブロック図である。
【図３】本実施形態におけるデジタルデータの並び替えを示す説明図である。
【図４】本実施形態における複数の画像を同一媒体上に印刷した状態を示す説明図である。
【符号の説明】
１…本体
２…受光レンズ
３…印刷部（プリンタ）
４…印画用紙
５…メイン基板
６…電池
７…モード切替スイッチ
８…撮影ボタン
９…ファインダー
１０…フラッシュ切替スイッチ
１１…電池交換蓋
１２…リボン交換蓋
１３…給紙兼取出口
１４…移動口
１５…フラッシュ
１６…再印刷ボタン
１７…撮像部
２１…ＣＭＯＳセンサー
２２…ＩＳＰ
３１…プリンタメカ
３２…印画リボンカートリッジ
５１…画像メモリコントローラ
５２…記憶部（画像メモリ）
５３…制御部（マイコン）
５４…モータードライバ
５５…プリンタコントローラ
５６…フラッシュ制御回路
５７…電源回路
５８…入力Ｉ／Ｏ
【図１】
2004140704.tif 000003
【図２】
2004140704.tif 000004
【図３】
2004140704.tif 000005
【図４】
2004140704.tif 000006